(57)【特許請求の範囲】
【請求項１】
マルチチャンネルのオーディオ信号が所定のフォーマットにエンコードされたディジタルオーディオ信号を入力し、デコード処理してチャンネル別のオーディオ信号を形成して再生出力する第１動作モードと、マルチチャンネルのオーディオ信号が所定のフォーマットにエンコードされたディジタルオーディオ信号を入力し、デコード処理してチャンネル別のオーディオ信号を形成し、更に、該チャンネル別のオーディオ信号をエンコード処理して２チャンネルのステレオ信号を形成して再生出力する第２動作モードと、マルチチャンネルのオーディオ信号が所定のフォーマットにエンコードされたディジタルオーディオ信号を入力し、デコード処理してチャンネル別のオーディオ信号を形成し、更に、該チャンネル別のオーディオ信号をエンコード処理して２チャンネルのサラウンドステレオ伝送信号を形成して録音出力する第３動作モードとで動作可能な信号処理手段と、
２チャンネル再生出力の指示操作と、２チャンネル録音出力の指示操作をする操作手段と、
マルチチャンネル再生出力指令を発生するマルチチャンネル再生指令発生手段と、
マルチチャンネル再生出力指令を受けると信号処理手段を制御して第１動作モードに切り換え、操作手段で２チャンネル再生出力の指示がされると信号処理手段を制御して第２動作モードに切り換え、操作手段で録音出力の指示がされると信号処理手段を制御して第３動作モードに切り換える制御手段と、
を備えたことを特徴とするオーディオ機器。
【請求項２】
マルチチャンネル再生出力指令発生手段はマルチチャンネル再生指令発生操作を行う操作手段としたこと、
を特徴とする請求項１記載のオーディオ機器。
【請求項３】
マルチチャンネル再生出力指令発生手段は、マルチチャンネルのオーディオ信号が所定のフォーマットにエンコードされたディジタルオーディオ信号の新規入力の有無を検出し、新規入力が有ったときマルチチャンネル再生出力指令を発するようにしたこと、
を特徴とする請求項１記載のオーディオ機器。
【請求項４】
制御手段は、操作手段で録音出力の指示がされると、信号処理手段を制御して第３動作モードに切り換え、以降、録音出力解除指令を受けるまで第３動作モードに固定させるようにしたこと、
を特徴とする請求項１または２または３記載のオーディオ機器。
【発明の詳細な説明】
【０００１】
【発明の属する技術分野】
本発明はオーディオ機器に係り、とくに、サラウンド音場の再生をするため、マルチチャンネルのオーディオ信号が所定のフォーマットにエンコードされたディジタルオーディオ信号をデコード処理して、マルチチャンネルのオーディオ信号を再生出力可能なオーディオ機器に関する。
【０００２】
【従来の技術】
ＬＤ（レーザディスク）、ＤＶＤ（ディジタルバーサタイルディスク）などでは、フロントＬスピーカ、フロントＲスピーカのほかに、センタスピーカ、サラウンドＬスピーカ、サラウンドＲスピーカ、サブウーファ（２００Ｈｚ  以下の重低音用）の４つのスピーカの内、すくなくともサラウンドＬスピーカとサラウンドＲスピーカを用いてサラウンド音場の再生を可能とするため、３チャンネル以上のＡＣ−３方式（Ｄｏｌｂｙ  Ｄｉｇｉｔａｌ；ドルビーディジタル。）、ＤＴＳ方式（Ｄｉｇｉｔａｌ  Ｔｈｅａｔｅｒ  Ｓｙｓｔｅｍ；ディジタルシアターシステム。）、ハイビジョン３−１方式、ＭＰＥＧオーディオなど各種のサラウンド方式のマルチチャンネルのオーディオ信号を、各々、所定のフォーマットにエンコードしたディジタルオーディオ信号を記録したものがある（「ドルビーディジタル」はドルビーラボラトリーズの商標、「ＤＴＳ」はディジタルシアタシステムズ社の商標）。このディジタルオーディオ信号は、ＡＶアンプやサラウンドプロセッサ等のデコード機能付きオーディオ機器にてデコード処理されて元のマルチチャンネルのオーディオ信号が再生出力される。
【０００３】
図４はサラウンドプロセッサのオーディオ信号系の一部を示すブロック図である。ＤＩＧＩＴＡＬ−ＩＮ１  〜ＤＩＧＩＴＡＬ−ＩＮｎ  は複数系統のディジタル入力端子であり、各々、例えば、ＬＤプレーヤ、ＤＶＤプレーヤ等、ＬＤ、ＤＶＤなどの記録媒体に記録されたＡＣ−３方式、ＤＴＳ方式、ハイビジョン３−１方式、ＭＰＥＧオーディオなど、各種サラウンド方式のマルチチャンネルのオーディオ信号が、各々、所定のフォーマットにエンコードされたディジタルオーディオ信号を再生する機器のディジタル出力端子が接続されている。ＬＤプレーヤ、ＤＶＤプレーヤ等は、再生信号をディジタルオーディオインタフェースフォーマット信号に変換してディジタル出力端子から出力する。１は１つのディジタル入力を選択するセレクタであり、ユーザのソース選択操作に従い切り換わる。２はセレクタ１で選択された１つの系統のディジタルオーディオインタフェースフォーマット信号を受信、復調し、ＡＣ−３方式、ＤＴＳ方式、ハイビジョン３−１方式、ＭＰＥＧオーディオなど、各種サラウンド方式のマルチチャンネルのオーディオ信号が、各々、所定のフォーマットにエンコードされたディジタルオーディオ信号を出力するＤＩＲ（ディジタルインタフェースレシーバ）であり、ディジタルオーディオインタフェースフォーマット信号中の補助情報（チャンネル数、サラウンド方式情報を含む）を抽出して後述するシステムコントローラへ出力する。
【０００４】
５はＤＳＰ（ディジタルシグナルプロセッサ）で構成された信号処理回路である。この信号処理回路５は、マルチチャンネルのオーディオ信号が所定のフォーマットにエンコードされたディジタルオーディオ信号を入力し、デコード処理してチャンネル別のオーディオ信号を形成する第１デコーダ部６と、第１デコーダ部６の出力をエンコード処理して通常の２チャンネルのステレオ信号（Ｌ０  、Ｒ０  ）を形成するエンコーダ部７を有している。
【０００５】
第１デコーダ部６は、フロントＬｃｈとフロントＲｃｈの系統を時間多重したディジタルオーディオ信号を出力する出力端子ＯＵＴ１と、センタとサブウーファの系統を時間多重したディジタルオーディオ信号を出力する出力端子ＯＵＴ２と、サラウンドＬｃｈとサラウンドＲｃｈを時間多重したディジタルオーディオ信号を出力する出力端子ＯＵＴ３とを有しており、各々、セレクタ部９、１０、１１の入力側に接続されている。エンコーダ部７は、フロントＬｃｈとフロントＲｃｈの系統を時間多重したディジタルオーディオ信号を出力する出力端子ＯＵＴ  を有しており、セレクタ部９の入力側に接続されている。
【０００６】
セレクタ部９〜１１は動作モードに応じて、入力を選択出力する。１２〜１４は各々、セレクタ部９〜１１の出力側に接続されたＤ／Ａ変換器、１５と１６はＤ／Ａ変換器１２の出力側に設けられたフロントＬｃｈ（ＦＬｃｈ）とフロントＲｃｈ（ＦＲｃｈ）の系統の出力端子、１７と１８はＤ／Ａ変換器１３の出力側に設けられたセンタｃｈ（Ｃｃｈ）とサブウーファｃｈ（ＳＷｃｈ）の系統の出力端子、１９と２０はＤ／Ａ変換器１４の出力側に設けられたサラウンドＬｃｈ（ＳＬｃｈ）とサラウンドＲｃｈ（ＳＲｃｈ）の系統の出力端子である。
なお、Ｄ／Ａ変換器１２の出力側にはＡＮＡＬＯＧ−ＬＯＵＴ  、ＡＮＡＬＯＧ−ＲＯＵＴ  から成る１系統のアナログ録音出力端子も設けられている。
【０００７】
２１はキー操作パネルであり、ソース選択操作をするためのディジタル入力１キー〜ディジタル入力ｎキーと、マニュアル操作で信号処理回路５の動作をマルチチャンネルモードに切り換えるためのマルチチャンネルキー、２チャンネルステレオモードに切り換えるためのステレオキーを有している。２２はマイコン構成のシステムコントローラであり、キー操作パネル２１での操作とＤＩＲ２から入力した補助情報に従い、セレクタ１に対する切り換え制御をしたり、信号処理回路５の動作制御をする。
【０００８】
例えば、ＤＩＧＩＴＡＬ−ＩＮ１  にＡＣ−３方式のディジタルオーディオ信号を出力するＬＤプレーヤが接続してあり、ＤＩＧＩＴＡＬ−ＩＮ２  にＤＴＳ方式のディジタルオーディオ信号を出力するＤＶＤプレーヤが接続してある状態で、ユーザがキー操作パネル２１でディジタル入力１キーを押すと、システムコントローラ２２はセレクタ１をＤＩＧＩＴＡＬ−ＩＮ１  に切り換える。ＬＤプレーヤを再生状態にし、ＡＣ−３方式のディジタルオーディオ信号が所定のディジタルオーディオインタフェースフォーマット信号の形で出力されると、ＤＩＲ２で受信、復調されたディジタルオーディオ信号が信号処理回路５に入力される。この際、ＤＩＲ２はディジタルオーディオインタフェースフォーマット信号中の補助情報を抽出してシステムコントローラ２２に出力する。
【０００９】
システムコントローラ２２は、ＤＩＲ２から入力した補助情報から、マルチチャンネルのオーディオ信号が所定のフォーマットにエンコードされたディジタルオーディオ信号の新規入力が有ったか検出し、ＹＥＳのときマルチチャンネル再生出力指令を内部発生し、信号処理回路５を制御してマルチチャンネル再生出力モードとし、第１デコーダ部６により、ＤＩＲ２から入力した補助情報の示すサラウンド方式情報に応じたデコード処理を行わせるとともに、各セレクタ部９〜１１を第１デコーダ部６の出力側に切り換えさせる。これにより、出力端子１５〜２０からチャンネル別のオーディオ信号が出力される。これらのオーディオ信号はチャンネル別に電力増幅されたのち、チャンネル別にスピーカ出力される。これにより、サラウンド音場が再現される。
【００１０】
ところで、フロントＬｃｈとフロントＲｃｈのスピーカからだけしか再生させたくない場合は、マルチチャンネルのオーディオ信号を２ｃｈにダウンミックスする必要が有る。ＬＤプレーヤからマルチチャンネルのオーディオ信号が入力された状態のままキー操作パネル２１でステレオキーを押すと、システムコントローラ２２は２チャンネルの通常のステレオ信号へのダウンミックスが指示されたとして、信号処理回路５を制御してステレオ再生出力モードとし、第１デコーダ部６により、ＤＩＲ２から入力した補助情報の示すサラウンド方式情報に応じたデコード処理を行わせると同時に、エンコーダ部７で第１デコーダ部６の出力をエンコード処理して通常の２チャンネルのステレオ信号（Ｌ０  、Ｒ０  ）を出力させ、セレクタ部９をエンコーダ部７の出力側に切り換えさせ、セレクタ部１０と１１を無音ディジタルオーディオ信号発生部３０の側に切り換えさせる。
これにより、２ｃｈで自然なステレオ音場を再現できる。
【００１１】
２チャンネルステレオ再生させている状態で、ユーザがキー操作パネル２１でマルチチャンネルキーを押すと、システムコントローラ２２は信号処理回路５を制御してマルチチャンネルモードに切り換え、元のサラウンド音場の再生をさせる。
なお、２チャンネルステレオ再生させている状態で、ＤＩＧＩＴＡＬ−ＩＮ２  に接続されたＤＶＤプレーヤを再生させ、キー操作パネル２１でディジタル入力２キーを押すと、システムコントローラ２２はセレクタ１をＤＩＧＩＴＡＬ−ＩＮ２  の側に切り換え、セレクタ４をＤＩＲ２の側に切り換える。ＤＶＤプレーヤから出力されたＤＴＳ方式のディジタルオーディオ信号が所定のディジタルオーディオインタフェースフォーマット信号の形で出力されると、ＤＩＲ２で受信、復調されたディジタルオーディオ信号が信号処理回路５に入力される。この際、ＤＩＲ２はディジタルオーディオインタフェースフォーマット信号中の補助情報を抽出してシステムコントローラ２２に出力する。
【００１２】
システムコントローラ２２は、ＤＩＲ２から入力した補助情報から、マルチチャンネルのオーディオ信号が所定のフォーマットにエンコードされたディジタルオーディオ信号の新規入力が有ったか検出したとき、サラウンド方式がＤＴＳ方式に変わっていることから、ＹＥＳと判断し、信号処理回路５を制御してマルチチャンネル再生出力モードに切り換え、第１デコーダ部６により、ＤＴＳ方式に応じたデコード処理を行わせるとともに、各セレクタ部９〜１１を第１デコーダ部６の出力側に切り換えさせる。これにより、自動的にサラウンド音場が再現される。
【００１３】
ところで、ＤＩＧＩＴＡＬ−ＩＮ１  に接続されたＬＤプレーヤから再生したマルチチャンネルのオーディオ信号を、２チャンネルのオーディオ信号録音が可能なテープレコーダ、ビデオテープレコーダなどに録音させたい場合、ＡＮＡＬＯＧ−ＬＯＵＴ  とＡＮＡＬＯＧ−ＲＯＵＴ  に録音機器を接続しておき、ディジタル入力１キーを押してＤＩＧＩＴＡＬ−ＩＮ１  のソースを選択するとともにＬＤプレーヤでＡＣ−３方式のディジタルオーディオ信号を再生させたあと、ステレオキーを押して、信号処理回路５をステレオモードで動作させるようにすれば良い。
【００１４】
【発明が解決しようとする課題】
けれども、ステレオモードでは、ＡＮＡＬＯＧ−ＬＯＵＴ  とＡＮＡＬＯＧ−ＲＯＵＴ  の出力は通常の単純な２チャンネルのステレオ信号Ｌ０  、Ｒ０  の形式なので、録音後、再生させたときに最早、サラウンド音場を再現することはできない。
また、ＬＤプレーヤからの録音中に、ディジタル入力２キーを押し、ＤＶＤプレーヤの再生をさせると、信号処理回路５がマルチチャンネル再生出力モードに戻ってしまうので、そのままではダウンミックスされていないフロントＬｃｈとフロントＲｃｈの信号だけが録音されてしまい、再度、ステレオキーを押してステレオモードに移行させなければならず、操作が面倒であった。
【００１５】
本発明は上記した従来技術の問題に鑑み、マルチチャンネルのオーディオ信号を２チャンネルで録音したとき、後の再生時にサラウンド音場の再現を可能とできるオーディオ機器を提供することを、その目的とする。
また、録音出力させるための操作が簡便なオーディオ機器を提供することを、その目的とする。
【００１６】
本発明の請求項１記載のオーディオ機器では、マルチチャンネルのオーディオ信号が所定のフォーマットにエンコードされたディジタルオーディオ信号を入力し、デコード処理してチャンネル別のオーディオ信号を形成して再生出力する第１動作モードと、マルチチャンネルのオーディオ信号が所定のフォーマットにエンコードされたディジタルオーディオ信号を入力し、デコード処理してチャンネル別のオーディオ信号を形成し、更に、該チャンネル別のオーディオ信号をエンコード処理して２チャンネルのステレオ信号を形成して再生出力する第２動作モードと、マルチチャンネルのオーディオ信号が所定のフォーマットにエンコードされたディジタルオーディオ信号を入力し、デコード処理してチャンネル別のオーディオ信号を形成し、更に、該チャンネル別のオーディオ信号をエンコード処理して２チャンネルのサラウンドステレオ伝送信号を形成して録音出力する第３動作モードで動作可能な信号処理手段と、２チャンネル再生出力の指示操作と、２チャンネル録音出力の指示操作をする操作手段と、マルチチャンネル再生出力指令を発生するマルチチャンネル再生出力指令発生手段と、マルチチャンネル再生出力指令を受けると信号処理手段を制御して第１動作モードに切り換え、操作手段で２チャンネル再生出力の指示がされると信号処理手段を制御して第２動作モードに切り換え、操作手段で録音出力の指示がされると信号処理手段を制御して第３動作モードに切り換える制御手段と、を備えたことを特徴としている。
【００１７】
請求項１記載のオーディオ機器によれば、操作手段で録音出力の指示をすると、制御手段が信号処理手段を制御して第３動作モードに切り換え、マルチチャンネルのオーディオ信号が所定のフォーマットにエンコードされたディジタルオーディオ信号を入力し、デコード処理してチャンネル別のオーディオ信号を形成し、更に、該チャンネル別のオーディオ信号をエンコード処理して２チャンネルのサラウンドステレオ伝送信号を形成して録音出力させるので、該２チャンネルのサラウンドステレオ伝送信号を録音機器で録再し、デコード処理すればマルチチャンネルのオーディオ信号を得ることができ、サラウンド音場を再現できる。
【００１８】
また、操作手段で２チャンネル再生出力の指示をすると、制御手段が信号処理手段を制御して第２動作モードに切り換え、マルチチャンネルのオーディオ信号が所定のフォーマットにエンコードされたディジタルオーディオ信号を入力し、デコード処理してチャンネル別のオーディオ信号を形成し、更に、該チャンネル別のオーディオ信号をエンコード処理して２チャンネルのステレオ信号を形成して再生出力させるので、ＬｃｈとＲｃｈの２つのスピーカからだけの音響出力が可能である。
更に、マルチチャンネル再生出力指令を受けると、制御手段が信号処理手段を制御して第１動作モードに切り換え、マルチチャンネルのオーディオ信号が所定のフォーマットにエンコードされたディジタルオーディオ信号を入力し、デコード処理してチャンネル別のオーディオ信号を形成して再生出力させるので、本来のサラウンド音場を再現できる。
【００１９】
本発明の請求項２記載のオーディオ機器では、マルチチャンネル再生出力指令発生手段はマルチチャンネル再生指令発生操作を行う操作手段としたこと、を特徴としている。
これにより、信号処理手段が第２または第３モードで動作していても、ユーザがマルチチャンネル再生指令発生操作を行えば、信号処理手段を第１動作モードで動作させ、本来のサラウンド音場を再現させることができる。
【００２０】
本発明の請求項３記載のオーディオ機器では、マルチチャンネル再生出力指令発生手段は、マルチチャンネルのオーディオ信号が所定のフォーマットにエンコードされたディジタルオーディオ信号の新規入力の有無を検出し、新規入力が有ったときマルチチャンネル再生指令を発するようにしたこと、を特徴としている。
これにより、信号処理手段が第２または第３モードで動作していても、マルチチャンネルのオーディオ信号が所定のフォーマットにエンコードされたディジタルオーディオ信号の新規入力が有れば、信号処理手段が自動的に第１動作モードに切り換わるので、本来のサラウンド音場を再現させるために特に動作モード切り換え操作をしなくて済む。
【００２１】
本発明の請求項４記載のオーディオ機器では、制御手段は、操作手段で録音出力の指示がされると、信号処理手段を制御して第３動作モードに切り換え、以降、録音出力解除指令を受けるまで第３動作モードに固定させるようにしたこと、を特徴としている。
これにより、２チャンネル録音出力を行っているときに、ユーザが誤って２チャンネル再生出力の指示操作をしたり、マルチチャンネル再生出力の指示操作をしても、無視されるので、後でサラウンド音場の再現が可能な形式での録音出力を継続させることができる。また、２チャンネル録音出力を行っているときに、信号処理手段の入力を別のマルチチャンネルのオーディオ信号が所定のフォーマットでエンコードされたディジタルオーディオ信号に切り換えても、マルチチャンネル再生出力指令発生手段の発するマルチチャンネル再生指令が無視されるので、後でサラウンド音場の再現が可能な形式で録音出力を継続させることができる。
【００２２】
【発明の実施の形態】
次に、図１を参照して本発明の一つの実施の形態を説明する。図１はＡＶアンプのオーディオ信号系の一部を示すブロック図であり、図４と同一の構成部分には同一の符号が付してある。
ＤＩＧＩＴＡＬ−ＩＮ１  〜ＤＩＧＩＴＡＬ−ＩＮｎ  は複数系統のディジタル入力端子であり、各々、ＬＤプレーヤ、ＤＶＤプレーヤ等、ＬＤ、ＤＶＤなどの記録媒体に記録されたＡＣ−３方式、ＤＴＳ方式、ハイビジョン３−１方式、ＭＰＥＧオーディオなど、各種サラウンド方式のマルチチャンネルのオーディオ信号が、各々、所定のフォーマットにエンコードされたディジタルオーディオ信号を再生する機器のディジタル出力端子が接続されている。ＬＤプレーヤ、ＤＶＤプレーヤ等は、再生信号をディジタルオーディオインタフェースフォーマット信号に変換してディジタル出力端子から出力する。１は１つのディジタル入力を選択するセレクタであり、ユーザのソース選択操作に従い切り換わる。
【００２３】
２はセレクタ１で選択された１つの系統のディジタルオーディオインタフェースフォーマット信号を受信、復調し、マルチチャンネルのオーディオ信号が所定のフォーマットでエンコードされたディジタルオーディオ信号を出力するＤＩＲ（ディジタルインタフェースレシーバ）であり、ディジタルオーディオインタフェースフォーマット信号中の補助情報（チャンネル数、サラウンド方式等）を抽出して後述するシステムコントローラに出力する。
【００２４】
ＡＮＡＬＯＧ−ＬＩＮとＡＮＡＬＯＧ−ＲＩＮは、ＬｃｈとＲｃｈから成る１系統のアナログ入力端子であり、ここでは、ドルビープロロジック方式でエンコードされた２チャンネルサラウンドステレオ伝送信号（ＬＴ  、ＲＴ  ）が入力されるものとする（「ドルビープロロジック」はドルビーラボラトリーズの商標）。３はアナログオーディオ信号をＡ／Ｄ変換して出力するＡ／Ｄ変換器、４はＤＩＲ２とＡ／Ｄ変換器３の出力の内、１つを選択するセレクタであり、ユーザのソース選択操作に従い切り換えられる。５ＡはＤＳＰ（ディジタルシグナルプロセッサ）で構成された信号処理回路である。
【００２５】
この信号処理回路５Ａは、マルチチャンネルのオーディオ信号が所定のフォーマットにエンコードされたディジタルオーディオ信号を入力し、デコード処理してチャンネル別のオーディオ信号を形成する第１デコーダ部６と、第１デコーダ部６の出力をエンコード処理して通常の２チャンネルのステレオ信号（Ｌ０  、Ｒ０  ）を形成して出力するか、または、第１デコーダ部６の出力をドルビープロロジック方式に従いエンコード処理して２チャンネルのサラウンドステレオ伝送信号（ＬＴ  、ＲＴ  ）を形成して出力するエンコーダ部７Ａと、ディジタルの２チャンネルサラウンドステレオ伝送信号（ＬＴ  、ＲＴ  ）を入力し、ドルビープロロジック方式に従いデコードしてマルチチャンネルのオーディオ信号を出力する第２デコーダ部８とを有している。
【００２６】
第１デコーダ部６は、デコード処理後のフロントＬｃｈとフロントＲｃｈの系統を時間多重したディジタルオーディオ信号を出力する出力端子ＯＵＴ１と、デコード処理後のセンタとサブウーファの系統を時間多重したディジタルオーディオ信号を出力する出力端子ＯＵＴ２と、デコード処理後のサラウンドＬｃｈとサラウンドＲｃｈを時間多重したディジタルオーディオ信号を出力する出力端子ＯＵＴ３とを有しており、各々、セレクタ部９Ａ、１０Ａ、１１Ａに接続されている。エンコーダ部７Ａは、２チャンネルにエンコード処理後のＬｃｈとＲｃｈの系統を時間多重したディジタルオーディオ信号を出力する出力端子ＯＵＴ  を有しており、セレクタ部９Ａと接続されている。
【００２７】
第２デコーダ部８はデコード処理後のフロントＬｃｈとフロントＲｃｈの系統を時間多重したディジタルオーディオ信号を出力する出力端子ＯＵＴ１と、デコード処理後のセンタとサブウーファの系統のディジタルオーディオ信号（但し、ドルビープロロジックでは、センタとサブウーファは同じ信号）を出力する出力端子ＯＵＴ２と、デコード処理後のサラウンドＬｃｈとサラウンドＲｃｈを時間多重したディジタルオーディオ信号（但し、ドルビープロロジックでは、サラウンドＬｃｈとサラウンドＲｃｈは同じ信号）を出力する出力端子ＯＵＴ３とを有しており、各々、セレクタ部９Ａ、１０Ａ、１１Ａに接続されている。
【００２８】
セレクタ部９Ａ〜１１Ａは信号処理回路５Ａの動作モードに応じて、入力を選択出力する。１２〜１４は各々、セレクタ部９Ａ〜１１Ａの出力側に接続されたＤ／Ａ変換器、１５と１６はＤ／Ａ変換器１２の出力側に設けられたフロントＬｃｈとフロントＲｃｈの系統の出力端子、１７と１８はＤ／Ａ変換器１３の出力側に設けられたセンタｃｈとサブウーファｃｈの系統の出力端子、１９と２０はＤ／Ａ変換器１４の出力側に設けられたサラウンドＬｃｈとサラウンドＲｃｈの系統の出力端子である。
なお、Ｄ／Ａ変換器１２の出力側にはＡＮＡＬＯＧ−ＬＯＵＴ  、ＡＮＡＬＯＧ−ＲＯＵＴ  から成る１系統のアナログ録音出力端子も設けられている。
【００２９】
２１Ａはキー操作パネルであり、ソース選択操作をするためのアナログ入力キー及びディジタル入力１キー〜ディジタル入力ｎキーと、マニュアル操作で信号処理回路５Ａ動作をマルチチャンネル再生出力モード（第１動作モード）に切り換えるためのマルチチャンネルキー、２チャンネルステレオ再生出力モード（第２動作モード）に切り換えるためのステレオキー、録音出力モード（第３動作モード）に切り換えるためのＲＥＣキーなどを有し、或るキーが押圧されると該キーに対応したキー信号をシステムコントローラ２２Ａに出力する。マルチチャンネルキーに対応するキー信号は、システムコントローラ２２Ａによりマルチチャンネル再生出力指令として扱われる。２２Ａはマイコン構成のシステムコントローラであり、キー操作パネル２１Ａでの各種キー操作とＤＩＲ２から入力した補助情報に従い、セレクタ１、４に対する切り換え制御をしたり、信号処理回路５Ａの動作制御をする。
【００３０】
図２はシステムコントローラ２２Ａの動作を示すフローチャートであり、以下、図２を参照してこの実施の形態の動作を説明する。なお、ここでは、ＤＩＧＩＴＡＬ−ＩＮ１  にはＡＣ−３方式のＬＤプレーヤのディジタル出力端子が接続されており、ＤＩＧＩＴＡＬ−ＩＮ２  にはＤＴＳ方式のＤＶＤプレーヤのディジタル出力端子が接続されているものとする。また、２チャンネルのアナログ録音が可能なテープレコーダの録音入力端子がＡＮＡＬＯＧ−ＬＯＵＴ  とＡＮＡＬＯＧ−ＲＯＵＴ  に接続されており、該テープレコーダの再生出力端子がＡＮＡＬＯＧ−ＬＩＮとＡＮＡＬＯＧ−ＲＩＮに接続されているものとする。
【００３１】
（１）マルチチャンネルのサラウンド再生
セットの電源をオンすると、システムコントローラ２２Ａはセレクタ１と４を前回電源オフ直前のポジションに切り換え、信号処理回路５Ａを前回電源オフ直前の動作モードに切り換える。ここでは、セレクタ１はＤＩＧＩＴＡＬ−ＩＮ３  に切り換えられ、セレクタ４はＤＩＲ２の側に切り換えられ、信号処理回路５Ａは第２動作モードに切り換えられたものとする（図２のステップＳ１０）。
【００３２】
今、ユーザがＬＤプレーヤで再生したマルチチャンネルのオーディオ信号により、サラウンド音場を再現したい場合、まず、キー操作パネル２１Ａでディジタル入力１キーを押してソース選択操作をする。ディジタル入力１キーのキー信号を入力したシステムコントローラ２２Ａはセレクタ１をＤＩＧＩＴＡＬ−ＩＮ１  に切り換え、セレクタ４をＤＩＲ２の側に切り換える（ステップＳ１１、Ｓ１２）。ＬＤプレーヤを再生状態にし、ＡＣ−３方式のディジタルオーディオ信号が所定のディジタルオーディオインタフェースフォーマット信号の形で出力されると、ＤＩＲ２で受信、復調され、該ＤＩＲ２からＡＣ−３方式のマルチチャンネルのオーディオ信号が所定のフォーマットにエンコードされたディジタルオーディオ信号が信号処理回路５Ａに入力される。この際、ＤＩＲ２はディジタルオーディオインタフェースフォーマット信号中のサラウンド方式、チャンネル数等を示す補助情報をシステムコントローラ２２Ａに出力する。システムコントローラ２２Ａは、ステップＳ１２のあと、現在ディジタル入力を選択中かチェックし（ステップＳ１３）、ＹＥＳなので、ＤＩＲ２から入力した補助情報からマルチチャンネルのディジタルオーディオ信号が新規入力されたか否か検出する（ステップＳ１４）。
【００３３】
システムコントローラ２２Ａは、電源オン後に初めてＤＩＲ２から入力した補助情報がマルチチャンネルを示すとき、マルチチャンネルのオーディオ信号が所定のフォーマットにエンコードされたディジタルオーディオ信号の新規入力として扱い（ステップＳ１４でＹＥＳ）、信号処理回路５Ａを制御して第１動作モードとし（ステップＳ１５）、第１デコーダ部６により、ＤＩＲ２から入力した補助情報の示すサラウンド方式情報に応じたデコード処理を行わせるとともに、各セレクタ部９Ａ〜１１Ａを第１デコーダ部６の出力側に切り換えさせる。これにより、出力端子１５〜２０からチャンネル別のオーディオ信号が出力される。これらのオーディオ信号は後段でチャンネル別に電力増幅されたのち、チャンネル別にスピーカ出力される。これにより、サラウンド音場が再現される。
【００３４】
（２）２チャンネルの通常のステレオ再生
ところで、フロントＬｃｈとフロントＲｃｈのスピーカからだけしか再生させたくない場合は、マルチチャンネルのオーディオ信号を２ｃｈにダウンミックスする必要が有る。ＬＤプレーヤからマルチチャンネルのオーディオ信号が入力された状態のままキー操作パネル２１Ａでステレオキーを押すと、システムコントローラ２２Ａは２チャンネルの通常のステレオ信号へのダウンミックスが指示されたとして、信号処理回路５Ａを制御して第２動作モードとし（ステップＳ１６、Ｓ１７）、第１デコーダ部６でサラウンド方式情報（ここではＡＣ−３方式）に応じたデコード処理を行わせると同時に、エンコーダ部７Ａで第１デコーダ部６の出力をエンコード処理して通常の２チャンネルのステレオ信号（Ｌ０  、Ｒ０  ）を出力させ、セレクタ部９Ａをエンコーダ部７Ａの出力側に切り換えさせ、セレクタ部１０Ａと１１Ａを無音ディジタルオーディオ信号発生部３０の側に切り換えさせる。
これにより、２ｃｈで自然なステレオ音場を再現できる。
【００３５】
２チャンネルステレオ再生させている状態で、ユーザがキー操作パネル２１Ａでマルチチャンネルキーを押すと、システムコントローラ２２Ａは信号処理回路５を制御してマルチチャンネルモードに切り換え、元のサラウンド音場の再生をさせる（ステップＳ２０、Ｓ２１）。
【００３６】
（３）録音出力
これと異なり、ＤＩＧＩＴＡＬ−ＩＮ１  に接続されたＬＤプレーヤから再生したマルチチャンネルのオーディオ信号を、２チャンネルのオーディオ信号録音が可能なテープレコーダに録音させたい場合、キー操作パネル２１ＡのＲＥＣキーを押す。すると、システムコントローラ２２Ａは信号処理回路５Ａを制御して第３動作モードに切り換え（ステップＳ１８、Ｓ１９）、第１デコーダ部６により、ＤＩＲ２から入力した補助情報の示すサラウンド方式情報に応じたデコード処理を行わせると同時に、エンコーダ部７Ａで第１デコーダ部６の出力をドルビープロロジック方式に従いエンコード処理してディジタルの２チャンネルサラウンドステレオ伝送信号（ＬＴ  、ＲＴ  ）を出力させ、セレクタ部９Ａをエンコーダ部７Ａの出力側に切り換えさせ、セレクタ部１０Ａと１１Ａを無音ディジタルオーディオ信号発生部３０の側に切り換えさせる。ディジタルの２チャンネルサラウンドステレオ伝送信号（ＬＴ  、ＲＴ  ）は、Ｄ／Ａ変換器１２でＤ／Ａ変換されたあと、ＡＮＡＬＯＧ−ＬＯＵＴ  とＡＮＡＬＯＧ−ＲＯＵＴ  からテープレコーダに出力され、テープに録音される。
【００３７】
録音出力させている状態で、ユーザがキー操作パネル２１Ａでマルチチャンネルキーを押すと、システムコントローラ２２Ａは信号処理回路５Ａを制御してマルチチャンネルモードに切り換え、元のサラウンド音場の再生をさせる（ステップＳ２０、Ｓ２１）。
【００３８】
（４）プロロジック再生出力
テープに録音した２チャンネルサラウンドステレオ伝送信号（ＬＴ  、ＲＴ  ）を再生したい場合、キー操作パネル２１Ａでアナログ入力キーを押す。すると、システムコントローラ２２Ａはセレクタ４をＡ／Ｄ変換器３の側に切り換える（ステップＳ１１、Ｓ１２）。テープレコーダを再生状態にすると、テープから再生されたアナログの２チャンネルサラウンドステレオ伝送信号（ＬＴ  、ＲＴ  ）はＡ／Ｄ変換器３でＡ／Ｄ変換され、信号処理回路５Ａに入力される。アナログ入力キーが押されたとき、システムコントローラ２２Ａは信号処理回路５Ａを制御して第４動作モードとし（ステップＳ１３、Ｓ２２）、第２デコーダ部８にディジタルの２チャンネルサラウンドステレオ伝送信号（ＬＴ  、ＲＴ  ）を、ドルビープロロジック方式に従いデコード処理して出力させ、また、セレクタ部９Ａ〜１１Ａを第２デコーダ部８の側に切り換えさせる。これにより、ドルビープロロジック方式によるサラウンド音場が再現される。
【００３９】
（５）動作モードの自動切り換え
なお、ＬＤプレーヤの出力に基づき２チャンネルステレオ再生させている状態または録音出力させている状態で、ＤＩＧＩＴＡＬ−ＩＮ２  に接続されたＤＶＤプレーヤを再生させ、キー操作パネル２１Ａでディジタル入力２キーを押したとき、システムコントローラ２２Ａはセレクタ１をＤＩＧＩＴＡＬ−ＩＮ２  の側に切り換え、セレクタ４をＤＩＲ２の側に切り換える（ステップＳ１１、Ｓ１２）。ＤＶＤプレーヤから出力されたＤＴＳ方式のディジタルオーディオ信号が所定のディジタルオーディオインタフェースフォーマット信号の形で出力されると、ＤＩＲ２で受信、復調され、該ＤＩＲ２からＤＴＳ方式のマルチチャンネルのオーディオ信号が所定のフォーマットにエンコードされたディジタルオーディオ信号が信号処理回路５Ａに入力される。この際、ＤＩＲ２はディジタルオーディオインタフェースフォーマット信号中の補助情報を抽出してシステムコントローラ２２Ａに出力する。
【００４０】
システムコントローラ２２Ａは、ＤＩＲ２から入力した補助情報からマルチチャンネルのディジタルオーディオ信号が新規入力されたか否か検出する（ステップＳ１３、Ｓ１４）。ここでは、サラウンド方式の変化から新規入力されたことが判るので、システムコントローラ２２Ａはマルチチャンネル再生出力指令を内部発生し、信号処理回路５Ａを制御して第１動作モードに切り換え、第１デコーダ部６により、ＤＩＲ２から入力した補助情報の示すサラウンド方式情報に応じたデコード処理を行わせるとともに、各セレクタ部９Ａ〜１１Ａを第１デコーダ部６の出力側に切り換えさせる（ステップＳ１４、Ｓ１５）。これにより、自動的にサラウンド音場が再現される。
【００４１】
この実施の形態によれば、信号処理回路５Ａに或るサラウンド方式に基づくマルチチャンネルのオーディオ信号が或る所定のフォーマットにエンコードされたディジタルオーディオ信号が入力されている状態で、キー操作パネル２１ＡのＲＥＣキーを押し録音出力の指示をすると、システムコントローラ２２Ａが信号処理部５Ａを制御して第３動作モードに切り換え、マルチチャンネルのオーディオ信号が所定のフォーマットでエンコードされたディジタルオーディオ信号をデコード処理してチャンネル別のオーディオ信号を形成させ、更に、該チャンネル別のオーディオ信号をドルビープロロジック方式に従いエンコード処理して２チャンネルサラウンドステレオ伝送信号（ＬＴ  、ＲＴ  ）を形成して録音出力させる。よって、該２チャンネルサラウンドステレオ伝送信号（ＬＴ  、ＲＴ  ）を録音機器で録再し、ドルビープロロジック方式に従いデコード処理すればマルチチャンネルのオーディオ信号を得ることができ、サラウンド音場を再現できる。
【００４２】
また、信号処理回路５Ａにマルチチャンネルのオーディオ信号が所定のフォーマットにエンコードされたディジタルオーディオ信号が入力されている状態で、ステレオキーを押し２チャンネルのステレオ再生出力の指示をすると、システムコントローラ２２Ａが信号処理回路５Ａを制御して第２動作モードに切り換え、マルチチャンネルのオーディオ信号が所定のフォーマットでエンコードされたディジタルオーディオ信号をデコード処理してチャンネル別のオーディオ信号を形成させ、更に、該チャンネル別のオーディオ信号をエンコード処理して２チャンネルのステレオ信号を形成して再生出力させるので、ＬｃｈとＲｃｈの２つのスピーカからだけの音響出力が可能である。
【００４３】
そして、信号処理回路５Ａが第２動作モードまたは第３動作モードとなっているときに、マルチチャンネルキーを押せば、システムコントローラ２２Ａは信号処理回路５Ａを第１動作モードに切り換え、マルチチャンネルのオーディオ信号が所定のフォーマットにエンコードされたディジタルオーディオ信号をデコード処理してチャンネル別のオーディオ信号を形成して再生出力させるので、本来のサラウンド音場に簡単に戻すことができる。
【００４４】
一方、信号処理回路５Ａが第２動作モードまたは第３動作モードとなっているときに、マルチチャンネルのオーディオ信号が所定のフォーマットにエンコードされたディジタルオーディオ信号を新規入力させると同時に信号処理回路５Ａを第１動作モードに切り換えたい場合、ＤＩＲ２からマルチチャンネルのオーディオ信号が所定のフォーマットにエンコードされたディジタルオーディオ信号の新規入力有りを示す検出信号が入力されると、システムコントローラ２２Ａは信号処理回路５Ａを制御して自動的に第１動作モードとし、マルチチャンネルのオーディオ信号が所定のフォーマットにエンコードされたディジタルオーディオ信号をデコード処理してチャンネル別のオーディオ信号を形成して再生出力させるので、モード切り換え操作をしなくても本来のサラウンド音場を自動的に再現させることができる。
【００４５】
なお、キー操作パネル２１Ａに録音出力解除指示操作をするためのＲＥＣ解除キーを設けるとともに図２を図３の如く変形し、システムコントローラ２２ＡはＲＥＣキーが押されたのを受けて信号処理回路５Ａを第３動作モードに切り換えたあと、ユーザによりＲＥＣ解除キーが押されるまで、第３動作モードに固定するようにし、ステレオキーの押圧やマルチチャンネルキーの押圧を無視するようにしても良い（図３のステップＳ２３でＮＯ）。このようにすれば、録音出力を行っているときに、ユーザが誤ってステレオキーを押し２チャンネル再生出力の指示操作をしたり、マルチチャンネルキーを押しマルチチャンネル再生出力の指示操作をしても、無視されるので、後でサラウンド音場の再現が可能な形式での録音出力を継続させることができる。
【００４６】
図３の場合、録音出力を行っているときに、ＤＩＲ２への入力信号（信号処理回路５Ａへの入力信号）が、マルチチャンネルのオーディオ信号が所定のフォーマットでエンコードされた新規のディジタルオーディオ信号に変わっても、第３動作モードが維持されるので、とくに動作モードを切り換えるための操作をしなくても後でサラウンド音場の再現が可能な形式での録音出力を継続させることができる。
更に、図３の例では、第３動作モードに切り換えられたあとでも、ディジタル入力１キー〜ディジタル入力ｎキーが押されたとき、システムコントローラ２２Ａはセレクタ１を制御して該当するポジションに切り換えるので他のディジタル入力への切り換えが可能であり（図３のステップＳ２４、Ｓ２５、Ｓ２６）、しかも、この際、ＤＩＲ２への入力信号（信号処理回路５Ａへの入力信号）が、マルチチャンネルのオーディオ信号が所定のフォーマットでエンコードされた新規のディジタルオーディオ信号に変わっても、第３動作モードが維持されるので、後でサラウンド音場の再現が可能な形式での録音出力を継続させることができる。
【００４７】
【発明の効果】
本発明によれば、ステレオ再生出力を指示することでマルチチャンネルのオーディオ信号が所定のフォーマットにエンコードされたディジタルオーディオ信号を、２チャンネルのステレオ信号（Ｌ０  、Ｒ０  ）にダウンミックスして再生出力させることができるほか、録音出力を指示することでマルチチャンネルのオーディオ信号が所定のフォーマットにエンコードされたディジタルオーディオ信号を、２チャンネルのサラウンドステレオ伝送信号（ＬＴ  、ＲＴ  ）にダウンミックスして録音出力させることもでき、２チャンネルの録音機器で録音すれば、あとでサラウンド音場を再現可能とできる。
また、録音出力中は録音出力解除指示がされるまで、信号処理手段が第３動作モードに維持されるので、ディジタル入力が、マルチチャンネルのオーディオ信号が所定のフォーマットでエンコードされた新規のディジタルオーディオ信号に変わっても、とくに動作モードを切り換えるための操作をしなくても後でサラウンド音場の再現が可能な形式での録音出力を継続させることができる。
【図面の簡単な説明】
【図１】本発明の一つの実施の形態に係るＡＶアンプのオーディオ信号系の一部を示すブロック図である。
【図２】図１のシステムコントローラの動作を示すフローチャートである。
【図３】図２の変形例を示すフローチャートである。
【図４】従来のＡＶアンプのオーディオ信号系の一部を示すブロック図である。
【符号の説明】
１、４  セレクタ                  ２  ＤＩＲ
５Ａ  信号処理回路                ６  第１デコーダ部
７Ａ  エンコーダ部                ８  第２ダコーダ部
９Ａ、１０Ａ、１１Ａ  セレクタ部  １２、１３、１４  Ｄ／Ａ変換器
２１Ａ  キー操作パネル            ２２Ａ  システムコントローラ
１５〜２０  出力端子
ＡＮＡＬＯＧ−ＬＯＵＴ    アナログ録音出力端子
ＡＮＡＬＯＧ−ＲＯＵＴ    アナログ録音出力端子
【図１】
0003559838.tif 000002
【図２】
0003559838.tif 000003
【図３】
0003559838.tif 000004
【図４】
0003559838.tif 000005